(57)【要約】【課題】座席外面に対してぴったりした状態に装着することができ、座席自体のカバーを張り替えたようなフット感と、体に馴染むようなホールド性と、ソファーのような快適な座り心地とが得られるシートカバーを提供する。【解決手段】シートカバー１を構成する座部カバー２の各カバー部材２ｂ，２ｃ，２ｃと、各カバー部材２ｄ，２ｄ，２ｅとの対向縁部を、座部Ａａの盛上り部Ａ１に沿って長さ方向に折り重ねて皺寄せするとともに、盛上り部Ａ１と対応する滑らかな曲線に湾曲したまま縫着して、座部Ａａの座面と対応する曲面形状に立体縫製する。また、凭れ部カバー３の各カバー部材３ｂ，３ｃ，３ｃと、各カバー部材３ｄ，３ｄ，３ｅとの対向縁部を、背凭れ部Ａｂの盛上り部Ａ２に沿って長さ方向に折り重ねて皺寄せするとともに、盛上り部Ａ２と対応する曲線に湾曲したまま縫着して、背凭れ部Ａｂの前面と対応する曲面形状に立体縫製する。【選択図】図３
0003119792.tif 000002
【実用新案登録請求の範囲】
【請求項１】
座席の座部に被覆される座部カバーを有するシートカバーであって、
上記座部の中央座面に被覆される第１カバー部材と、該座部の前部座面に被覆される第２カバー部材と、該座部の左右座面に被覆される各第３カバー部材との対向縁部を縫着し、
上記座部の左右側面に被覆される各第４カバー部材と、該座部の中央前面に被覆される第５カバー部材と、該座部の中央後面に被覆される第６カバー部材との対向縁部を縫着して座部カバーを構成するとともに、
上記第２カバー部材及び各第３カバー部材と、上記第４カバー部材及び第５カバー部材との対向縁部を、上記座部座面に形成した盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該座部座面と対応する曲面形状に立体縫製した
シートカバー。
【請求項２】
座席の背凭れ部に被覆される背凭れ部カバーを有するシートカバーであって、
上記背凭れ部の中央前面に被覆される第１カバー部材と、該背凭れ部の上部前面に被覆される第２カバー部材と、背凭れ部の左右前面に被覆される各第３カバー部材との対向縁部を縫着し、
上記背凭れ部の左右側面に被覆される各第４カバー部材と、背凭れ部Ａｂの上面に被覆される第５カバー部材と、背凭れ部の後面に被覆される第６カバー部材と、第７カバー部材との対向縁部を縫着して背凭れ部カバーを構成するとともに、
上記第２カバー部材及び各第３カバー部材と、上記各第４カバー部材及び第５カバー部材との対向縁部を、上記背凭れ部前面の盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該背凭れ部前面と対応する曲面形状に立体縫製した
シートカバー。
【請求項３】
上記座部カバーの座面又は背凭れ部カバーの前面に沿って皺部を横方向に形成するとともに、該皺部を縦方向に対して所定間隔に隔てて複数本形成した
請求項１又は２に記載のシートカバー。
【請求項４】
上記座部カバーの座面又は背凭れ部カバーの前面に沿って皺部を縦方向に形成するとともに、該皺部を幅方向に対して所定間隔に隔てて複数本形成した
請求項１又は２に記載のシートカバー。
【請求項５】
上記座部カバーの座面又は背凭れ部カバーの前面と対応するカバー部材に、通気性を有する多数の各孔部を所定間隔に隔てて形成した
請求項１又は２に記載のシートカバー。
【請求項６】
上記座部カバーの座面又は背凭れ部カバーの前面と対応するカバー部材を、着座側から順に皮革層と、高密度の綿層と、低反発スポンジ層と、トリコット層と、通気性を有する裏地層とを積層して構成した
請求項１又は２に記載のシートカバー。
【請求項７】
上記座席とシートカバーとの対向面間に、該座席とシートカバーとを着脱自在に固定する固定手段を設けた
請求項１に記載のシートカバー。
【考案の詳細な説明】
【技術分野】
【０００１】
この考案は、例えば自動車、飛行機、列車、船舶等の乗り物、或いは、映画館、劇場、会館、公共施設等の建物に設置された座席用のカバーに関し、さらに詳しくは、座席自体を覆っているカバーの上に被覆されるシートカバーに関する。
【背景技術】
【０００２】
従来、上述のカバーとしては、例えば丸い角を形成する第一カバー部材の端縁に沿って糸によるひだよせ縫い目を有し、丸い角に沿ってひだを取る座席カバーと、フレーム部材に固定され、且つ第一カバー部材と第二カバー部材との間に収容される形成された発泡パッドと、隣接する縫い目がかみあう第一カバー部材と第二カバー部材の両方を貫通して、第一カバー部材と第二カバー部材の端縁に沿って平行な糸の縫い目とを有する特許文献１の車両座席組立体がある。
【０００３】
しかし、上述の座部カバーは、カバー部材の端縁を糸により引き締めて、丸い角部に沿って均一なギャザーを作るものであるが、端縁が均一に皺寄せされるため、ギャザー数を部分的に変更することができない。また、座部の座面が、着座する人が安定した姿勢にホールドされるような曲面形状を有する場合、その座面と対応する曲面形状に立体縫製することが難しく、座部外面に対してフィットするようなカバーを縫製することができない。
【０００４】
【特許文献１】特公平６−９５９６８号公報
【考案の開示】
【考案が解決しようとする課題】
【０００５】
この考案は上記問題に鑑み、座席外面に対してぴったりした状態に装着することができ、座席自体のカバーを張り替えたようなフィット感と、体に馴染むようなホールド性と、ソファーのような快適な座り心地とが得られるシートカバーの提供を目的とする。
【課題を解決するための手段】
【０００６】
請求項１に記載した考案のシートカバーは、座席の座部に被覆される座部カバーを有するシートカバーであって、上記座部の中央座面に被覆される第１カバー部材と、該座部の前部座面に被覆される第２カバー部材と、該座部の左右座面に被覆される各第３カバー部材との対向縁部を縫着し、上記座部の左右側面に被覆される各第４カバー部材と、該座部の中央前面に被覆される第５カバー部材と、該座部の中央後面に被覆される第６カバー部材との対向縁部を縫着して座部カバーを構成するとともに、上記第２カバー部材及び各第３カバー部材と、上記第４カバー部材及び第５カバー部材との対向縁部を、上記座部座面に形成した盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該座部座面と対応する曲面形状に立体縫製したことを特徴とする。
【０００７】
この考案によると、座部カバーを構成する各カバー部材の対向縁部を、座部の盛上り部に沿って長さ方向に折り重ねて、曲率半径の大きい方の縁部よりも曲率半径の小さい方の縁部に形成される皺数が多くなるように皺寄せするとともに、盛上り部と対応する曲線に湾曲したまま一体的に縫着して、座部座面の盛上り部と対応する曲面形状に立体縫製する。
【０００８】
請求項２に記載した考案のシートカバーは、座席の背凭れ部に被覆される背凭れ部カバーを有するシートカバーであって、上記背凭れ部の中央前面に被覆される第１カバー部材と、該背凭れ部の上部前面に被覆される第２カバー部材と、背凭れ部の左右前面に被覆される各第３カバー部材との対向縁部を縫着し、上記背凭れ部の左右側面に被覆される各第４カバー部材と、背凭れ部Ａｂの上面に被覆される第５カバー部材と、背凭れ部の後面に被覆される第６カバー部材と、第７カバー部材との対向縁部を縫着して背凭れ部カバーを構成するとともに、上記第２カバー部材及び各第３カバー部材と、上記各第４カバー部材及び第５カバー部材との対向縁部を、上記背凭れ部前面の盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該背凭れ部前面と対応する曲面形状に立体縫製したことを特徴とする。
【０００９】
この考案によると、背凭れ部カバーを構成する各カバー部材の対向縁部を、背凭れ部の盛上り部に沿って長さ方向に折り重ねて、曲率半径の大きい方の縁部よりも曲率半径の小さい方の縁部に形成される皺数が多くなるように皺寄せするとともに、盛上り部と対応する曲線に湾曲したまま一体的に縫着して、背凭れ部前面の盛上り部と対応する曲面形状に立体縫製する。
【００１０】
請求項３に記載した考案のシートカバーは、上記請求項１又は２に記載の構成と併せて、上記座部カバーの座面又は背凭れ部カバーの前面に沿って皺部を横方向に形成するとともに、該皺部を縦方向に対して所定間隔に隔てて複数本形成したことを特徴とする。
【００１１】
この考案によると、座席に着座する人の体型及び姿勢に応じて、座部カバー及び背凭れ部カバーに形成した各皺部が縦方向に伸縮するので、着座位置及び着座姿勢の変更が容易に行え、座り心地が良好で、高いホールドが得られる。
【００１２】
請求項４に記載した考案のシートカバーは、上記請求項１又は２に記載の構成と併せて、上記座部カバーの座面又は背凭れ部カバーの前面に沿って皺部を縦方向に形成するとともに、該皺部を幅方向に対して所定間隔に隔てて複数本形成したことを特徴とする。
【００１３】
この考案によると、座席に着座する人の体型及び姿勢に応じて、座部カバー及び背凭れ部カバーに形成した各皺部が幅方向に伸縮するので、着座位置及び着座姿勢の変更が容易に行え、座り心地が良好で、高いホールド性が得られる。
【００１４】
請求項５に記載した考案のシートカバーは、上記請求項１又は２に記載の構成と併せて、上記座部カバーの座面又は背凭れ部カバーの前面と対応するカバー部材に、通気性を有する多数の各孔部を所定間隔に隔てて形成したことを特徴とする。
【００１５】
この考案によると、座部カバーの座面部分及び背凭れ部カバーの前面部分の通気性がよく、座部カバー及び背凭れ部カバーと接触する身体の部分が蒸れるのを防止することができる。
【００１６】
請求項６に記載した考案のシートカバーは、上記請求項１又は２に記載の構成と併せて、上記座部カバーの座面又は背凭れ部カバーの前面と対応するカバー部材を、着座側から順に皮革層と、高密度の綿層と、低反発スポンジ層と、トリコット層と、通気性を有する裏地層とを積層して構成したことを特徴とする。
【００１７】
この考案によると、座席に着座する人の体型、姿勢、体重等に応じて低反発スポンジ層が任意形状に変形するとともに、人の体型と対応する曲面形状に、座部カバーの座面及び背凭れ部カバーの前面が変形するため、体を包み込むようなホールド感が得られ、安定した姿勢に保持される。
【００１８】
上記皮革層は、例えば天然皮革、人工皮革等で構成することができる。実施例では人工皮革の一例として本革に近い風合いのＰＶＣレザーを使用しているが、様々な種類の人工皮革の中から用途及び目的に応じた人工皮革を選択使用してもよい。また、座部カバーの座面及び背凭れ部カバーの前面と対応するカバー部材の裏面側に形成される低反発スポンジ層の厚みを１０ｍｍ又は１５ｍｍに設定しているが、例えば１０ｍｍ〜１５ｍｍの範囲に含まれる厚みに設定するか、１０ｍｍ以下又は１５ｍｍ以上の厚みに変更してもよい。なお、皮革の代わりに、繊維製や樹脂製の表皮を用いてもよい。
【００１９】
請求項７に記載した考案のシートカバーは、上記請求項１に記載の構成と併せて、上記座席とシートカバーとの対向面間に、該座席とシートカバーとを着脱自在に固定する固定手段を設けたことを特徴とする。
【００２０】
この考案によると、例えば座部、背凭れ部、肘掛け部、ヘッドレスト等で構成される座席と、座席外面に被覆された例えば座部カバー、背凭れ部カバー、肘掛け部カバー、ヘッドレストカバー等のシートカバーとを下記固定手段で着脱自在に固定するので、シートカバーの被覆作業及び交換作業が容易に行える。
【００２１】
上記固定手段は、例えば面ファスナー、スライドファスナー、マグネット、ホック、紐等で構成することができる。また、シートカバーの縁部に縫着した伸縮自在なゴムバンドを座席に巻き付けるか、シートカバーの縁部に取り付けたフックを座席に係止する等して固定してもよい。
【考案の効果】
【００２２】
この考案によれば、座部カバー及び背凭れ部カバーを構成する各カバー部材の対向縁部を、座部及び背凭れ部の盛上り部に沿って長さ方向に折り重ねて皺寄せするとともに、盛上り部と対応する曲線に湾曲したままステッチ縫いにより一体的に縫着して立体縫製するので、シートカバーと座席との対向面間に隙間ができたり、被覆位置が変位したりせず、座席外面に対してぴったりした状態に装着することができる。且つ、座席自体のカバーを張り替えたようなフット感と、体に馴染むようなホールド性と、ソファーのような快適な座り心地とが得られるシートカバーを、様々な座席に対応して容易に製作することができる。
【００２３】
また、各カバー部材の対向縁部を皺寄せしたままステッチ縫いするので、滑らかな曲線を有するシートラインの美観が損なわれることがなく、座席の盛上り部と対応するシートカバーの曲線部分の強度が向上し、例えば亀裂やひび割れ等が起きるのを防止することができる。
【考案を実施するための最良の形態】
【００２４】
この考案は、座席外面に対してぴったりした状態に装着することができ、座席自体のカバーを張り替えたようなフット感と、体に馴染むようなホールド性と、ソファーのような快適な座り心地とが得られるという目的を、シートカバーを構成する座部カバー及び背凭れ部カバーを、座席を構成する座部及び背凭れ部と対応する曲面形状に立体縫製することで達成した。
【実施例】
【００２５】
この考案の一実施例を以下図面に基づいて詳述する。  
図面は、乗り物の一例である自動車の座席に被覆される第１実施例のシートカバーを示し、図１に於いて、このシートカバー１は、座席Ａの座部Ａａに被覆される座部カバー２と、座部Ａａ後端に連結した背凭れ部Ａｂに被覆される袋状の背凭れ部カバー３と、背凭れ部Ａｂ側部に連結した肘掛け部Ａｃに被覆される肘掛け部カバー４と、背凭れ部Ａｂ上端に取り付けたヘッドレストＡｄに被覆されるヘッドレストカバー５とで構成される。
【００２６】
上記座部カバー２は、図３にも示すように、座部Ａａの中央座面に被覆される第１カバー部材２ａと、座部Ａａの前部座面に被覆される第２カバー部材２ｂと、座部Ａａの左右座面に被覆される各第３カバー部材２ｃ，２ｃとの対向縁部を一体的に縫着し、座部Ａａの左右側面に被覆される各第４カバー部材２ｄ，２ｄと、座部Ａａの中央前面に被覆される第５カバー部材２ｅと、座部Ａａの中央後面に被覆される第６カバー部材２ｆとの対向縁部を一体的に縫着している。なお、第１〜第６カバー部材２ａ〜２ｆは、座部Ａａの各面と対応する大きさ及び形状に裁断している。
【００２７】
また、図５にも示すように、第２カバー部材２ｂ及び各第３カバー部材２ｃ，２ｃと、第４カバー部材２ｄ及び第５カバー部材２ｅとの対向縁部を、座部Ａａの左右座面に形成した各盛上り部Ａ１，Ａ１に沿って長さ方向に折り重ねるとともに、曲率半径の大きい方の縁部よりも曲率半径の小さい方の縁部に形成される皺数が多くなるように皺寄せするか、皺の折り重ね量が大きくなるように皺寄せして、各盛上り部Ａ１，Ａ１と対応する滑らかな曲線に湾曲する。且つ、上記皺寄せした対向縁部を、各盛上り部Ａ１，Ａ１と対応する曲線に湾曲したままステッチ縫いＥにより一体的に縫着して、２本のステッチラインを対向縁部に沿って平行に形成することにより、座部Ａａの座面と対応する曲面形状に立体縫製している。また、皺寄せ部分以外の対向縁部をステッチ縫いＥすることもできる。
【００２８】
また、第５カバー部材２ｅ及び第６カバー部材２ｆの下縁部裏面には、座部Ａａに被覆した布製カバーの起毛面に対して貼着される面ファスナーＢの鉤状側貼着体を装着している。或いは、上記面ファスナーＢの鉤状側貼着体と対向する部分に、面ファスナーＢのループ状側貼着体を装着してもよい。
【００２９】
また、各第４カバー部材２ｄ，２ｄの下縁部は、座部Ａａの両側下縁部と座枠部Ａｇの両側上縁部との隙間に対して押込み許容される状態に変形可能で、その隙間に対して抜止めされる状態に復元可能に形成している。
【００３０】
前記背凭れ部カバー３は、図２にも示すように、背凭れ部Ａｂの中央前面に被覆される第１カバー部材３ａと、背凭れ部Ａｂの上部前面に被覆される第２カバー部材３ｂと、背凭れ部Ａｂの左右前面に被覆される各第３カバー部材３ｃ，３ｃとの対向縁部を一体的に縫着し、背凭れ部Ａｂの左右側面に被覆される各第４カバー部材３ｄ，３ｄと、背凭れ部Ａｂの上面に被覆される第５カバー部材３ｅと、背凭れ部Ａｂの上部後面に被覆される第６カバー部材３ｆと、背凭れ部Ａｂの下部後面に被覆される第７カバー部材３ｇとの対向縁部を一体的に縫着している。なお、第１〜第８カバー部材３ａ〜３ｈは、背凭れ部Ａｂの各面と対応する大きさ及び形状に裁断している。
【００３１】
また、上記座部カバー２と同様に、第２カバー部材３ｂ及び各第３カバー部材３ｃ，３ｃと、各第４カバー部材３ｂ，３ｂ及び第５カバー部材３ｅとの対向縁部を、背凭れ部Ａｂの左右前面に形成された各盛上り部Ａ２，Ａ２に沿って長さ方向に折り重ねるとともに、曲率半径の大きい方の縁部よりも曲率半径の小さい方の縁部に形成される皺数が多くなるように皺寄せするか、皺の折り重ね量が大きくなるように皺寄せして、各盛上り部Ａ２，Ａ２と対応する滑らかな曲線に湾曲する。且つ、上記皺寄せした対向縁部を、各盛上り部Ａ２，Ａ２と対応する曲線に湾曲したままステッチ縫いＥにより一体的に縫着して、２本のステッチラインを対向縁部に沿って平行に形成することにより、背凭れ部Ａｂの前面と対応する曲面形状に立体縫製している。また、皺寄せ部分以外の対向縁部をステッチ縫いＥすることもできる。
【００３２】
また、第１カバー部材３ａの下縁部に縫着した第８カバー部材３ｈは、座部Ａａの後端側と背凭れ部Ａｂの下端側との隙間に対して挿入許容され、第７カバー部材３ｇと第８カバー部材３ｈとの対向縁部には、その対向縁部を着脱自在に固定するための面ファスナーＣを装着している。
【００３３】
また、第５カバー部材３ｅの中央面には、背凭れ部Ａｂの上端側に設けた各差込み口Ａｆ，Ａｆが突出許容される各孔部３ｉ，３ｉを形成し、第７カバー部材３ｇの後面には、小物の収納が許容されるポケット状の収納部３ｊを形成している。
【００３４】
また、肘掛け部Ａｃと対応する第４カバー部材３ｄの下縁部には、肘掛け部Ａｃの連結部分に対して跨るように被覆される跨り部３ｋを形成している。その連結部分よりも下方で重合される跨り部３ｋの対向縁部には面ファスナーＣを装着している。
【００３５】
前記肘掛け部カバー４は、肘掛け部Ａｃの上下面に被覆される帯状の第１カバー部材４ａと、肘掛け部Ａｃの左右側面に被覆される各第２カバー部材４ｂ，４ｂとの対向縁部を一体的に縫着し、第１カバー部材４ａの後側対向縁部には、その後側対向縁部を着脱自在に固定するための面ファスナーＣを装着している。また、背凭れ部Ａｂ側面と対向する第２カバー部材４ｂの後端側には、背凭れ部Ａｂと肘掛け部Ａｃとの連結部分が突出許容される開口部４ｃを形成している。
【００３６】
なお、第１，第２カバー部材４ａ，４ｂは、肘掛け部Ａｃの各面と対応する大きさ及び形状に裁断している。また、面ファスナーＣは、着脱自在に固定される鉤状側貼着体とループ状側貼着体とで構成される。
【００３７】
前記ヘッドレストカバー５は、ヘッドレストＡｄの中央前後面に被覆される帯状の第１カバー部材５ａと、ヘッドレストＡｄの左右前面に被覆される各第２カバー部材５ｂ，５ｂと、ヘッドレストＡｄの左右後面に被覆される各第３カバー部材５ｃ，５ｃとの対向縁部を一体的に縫着している。なお、第１〜第３カバー部材５ａ〜５ｃは、ヘッドレストＡｄの各面と対応する大きさ及び形状に裁断している。
【００３８】
また、各第２カバー部材５ｂ，５ｂと各第３カバー部材５ｃ，５ｃとの対向縁部を、ヘッドレストＡｄの左右前面に形成した各盛上り部Ａ３，Ａ３に沿って長さ方向に皺寄せして、各盛上り部Ａ３，Ａ３と対応する滑らかな曲線に湾曲するとともに、その皺寄せした対向縁部を、各盛上り部Ａ３，Ａ３と対応する曲線に湾曲したままステッチ縫いＥにより一体的に縫着して、２本のステッチラインを対向縁部に沿って平行に形成することにより、ヘッドレストＡｄの前面と対応する曲面形状に立体縫製している。
【００３９】
また、第１カバー部材５ａの前後下縁部には、着脱自在に係止される板状の挿入部材６と、側面から見てＵ字状の受け部材７とを対向して取り付けている。第１カバー部材５ａの前側下縁部に取り付けた挿入部材６は、後側下縁部に取り付けた受け部材７に対して後方から係止され、第１カバー部材５ａの前後下縁部をヘッドレストＡｄの下端側に突設した２本の各シャフトＡｅ，Ａｅ間で重合した状態に固定する。
【００４０】
また、座部カバー２の座面部分に縫着した第１カバー部材２ａ及び第２カバー部材２ｂと、背凭れ部カバー３の前面部分に縫着した第１カバー部材３ａ及び第２カバー部材３ｂとを縦方向に皺寄せして、座部カバー２の座面及び背凭れ部カバー３の前面に沿って皺部８を横方向に形成するとともに、その横長の皺部８を縦方向に対して所定間隔に隔てて複数本配列（又は多数本配列）している。
【００４１】
つまり、座席Ａに着座する人の体型及び姿勢に応じて、座部カバー２及び背凭れ部カバー３に形成した各皺部８…が縦方向に伸縮変形するので、着座位置及び着座姿勢の変更が容易に行え、座り心地が良好で、高いホールドと、ソファーのような快適な座り心地とが得られる。なお、第２カバー部材２ｂ，３ｂには、縦長の各皺部８…を幅方向に対して所定間隔に隔てて複数本配列している。
【００４２】
また、座部カバー２の座面部分に縫着した第１カバー部材２ａ及び第２カバー部材２ｂと、背凭れ部カバー３の前面部分に縫着した第１カバー部材３ａ及び第２カバー部材３ｂには、通気性を有する多数の各孔部１０…を所定間隔に隔てて形成している。
【００４３】
つまり、座部カバー２の座面部分及び背凭れ部カバー３の前面部分の通気性がよく、座部カバー２及び背凭れ部カバー３と接触する身体の部分が蒸れるのを防止することができる。
【００４４】
また、座部カバー２の座面部分に縫着した第１カバー部材２ａ及び第２カバー部材２ｂと、背凭れ部カバー３の前面部分に縫着した第１カバー部材３ａ及び第２カバー部材３ｂは、図６に示すように、着座側から順に皮革層１１と、高密度の綿層１２と、低反発スポンジ層１３と、トリコット層１４と、通気性を有する裏地層１５とを積層して構成している。
【００４５】
つまり、座席Ａに着座する人の体型、姿勢、体重等に応じて、座部カバー２の座面部分及び背凭れ部カバー３の前面部分に積層した低反発スポンジ層１３が任意形状に変形するとともに、人の体型と対応する曲面形状に、座部カバー２の座面及び背凭れ部カバー３の前面が変形するため、体を包み込むようなホールド感が得られ、安定した姿勢に保持される。
【００４６】
また、座部カバー２の座面部分及び背凭れ部カバー３の前面部分を除く、他の部分に縫い付けた座部カバー２の各カバー部材２ｃ〜２ｆと、背凭れ部カバー３の各カバー部材３ｃ〜３ｈは、着座側から順に皮革層１１と、トリコット層１４と、通気性を有する裏地層１５とを積層して構成している。
【００４７】
上記皮革層１１は、例えば人工皮革の一例として本革に近い風合いのＰＶＣレザーを使用している。実施例では、座部カバー２の座面部分に縫着した第１カバー部材２ａ及び第２カバー部材２ｂと、背凭れ部カバー３の前面部分に縫着した第１カバー部材３ａ及び第２カバー部材３ｂとの裏面側に積層される低反発スポンジ層１３の厚みを１０ｍｍ又は１５ｍｍに設定しているが、例えば１０ｍｍ〜１５ｍｍの範囲に含まれる厚みに設定するか、１０ｍｍ以下又は１５ｍｍ以上の厚みに変更してもよい。
【００４８】
上記ＰＶＣレザーの代わりに、様々な種類の人工皮革の中から用途及び目的に応じた人工皮革を選択使用するか、天然皮革を使用する等してもよい。また、低反発スポンジ層１３以外の皮革層１１と、綿層１２と、トリコット層１４と、裏地層１５とを任意の厚みに変更してもよい。また、孔部１０及び低反発スポンジ層１３を、座部カバー２の座面全体及び背凭れ部カバー３の前面全体に設けてもよい。なお、皮革の代わりに、繊維製や樹脂製の表皮を用いてもよい。
【００４９】
図示実施例は上記の如く構成するものにして、以下、シートカバー１により座席Ａを被覆する方法を説明する。
【００５０】
先ず、座部カバー２を座部Ａａに装着するまえに、背凭れ部カバー３を背凭れ部Ａｂに先行して被覆する。つまり、ヘッドレストＡｄを上方に引き上げて、背凭れ部Ａｂの上端側から引き抜いた後、図２に示すように、背凭れ部カバー３の下端側開口部を開口して、背凭れ部Ａｂの外面に対して上方から被覆する。
【００５１】
次に、背凭れ部カバー３の第８カバー部材３ｈを、座部Ａａの後端側と背凭れ部Ａｂの下端側との隙間に対して前側から挿入し、背凭れ部Ａｂの後側に引き出した第８カバー部材３ｈと、第７カバー部材３ｇとを面ファスナーＣで脱着自在に固定する。且つ、背凭れ部カバー３の上端側に形成した各孔部３ｉ，３ｉの内周縁部を、背凭れ部Ａｂの上端側中央部に設けた各差込み口Ａｆ，Ａｆの下側に差し込む。
【００５２】
また、図４に示すように、背凭れ部カバー３の各第４カバー部材３ｄ，３ｄと第７カバー部材３ｇとの対向縁部に沿ってスライドファスナーＤを取り付ければ、背凭れ部カバー３の下端側開口部を大きく開口することができ、背凭れ部Ａｂ外面とフィットする大きさ及び形状であっても、背凭れ部カバー３を被覆する作業及び取り外す作業が容易に行える。
【００５３】
次に、座部カバー２を座部Ａａに装着する場合、図３にも示すように、座部カバー２の下面側周縁部を拡張して、座部Ａａ外面に対して上方から被覆した後、第５カバー部材２ｅと第６カバー部材２ｆとを、座部Ａａの前後外面に被覆した布製カバーの起毛面に対して鉤状側の面ファスナーＢで固定する。且つ、各第４カバー部材２ｄ，２ｄの下縁部を、座部Ａａの両側下縁部と座枠部Ａｇの両側上縁部との隙間に対して側方から押込んで抜止めする。或いは、各第４カバー部材２ｄ，２ｄの下縁部を、座部Ａａの左右側面に対して面ファスナーＢ又はＣで固定してもよい。
【００５４】
次に、ヘッドレストカバー５をヘッドレストＡｄに被覆する場合、ヘッドレストカバー５の下端側開口部を開口して、ヘッドレストＡｄの外面に対して上方から被覆した後、第１カバー部材５ａの後側下縁部を、ヘッドレストＡｄの各シャフトＡｅ，Ａｅ間に対して後方から挿入するとともに、第１カバー部材５ａの前側下縁部に取り付けた挿入部材６を、後側下縁部に取り付けた受け部材７に係止して、第１カバー部材５ａの前後下縁部を各シャフトＡｅ，Ａｅ間で重合した状態に固定する。
【００５５】
この後、ヘッドレストカバー５が被覆されたヘッドレストＡｄの各シャフトＡｅ，Ａｅを、背凭れ部Ａｂの上端側に設けた各差込み口Ａｆ，Ａｆに対して上方から差込み固定する。
【００５６】
次に、肘掛け部カバー４を肘掛け部Ａｃに被覆する場合、肘掛け部カバー４の後端側開口部を開口して、肘掛け部Ａｃの外面に対して前端側から被覆した後、肘掛け部カバー４の後端側開口部を面ファスナーＣで着脱自在に固定すれば、図１に示すように、シートカバー１による座席Ａの被覆作業が完了する。
【００５７】
また、面ファスナーＢ，Ｃ及び挿入部材６、受け部材７による固定を解除すれば、座部カバー２、背凭れ部カバー３、肘掛け部カバー４、ヘッドレストカバー５の着脱及び交換が容易に行える。
【００５８】
上記面ファスナーＢ，Ｃ及び挿入部材６、受け部材７の代わりに、例えばスライドファスナー、マグネット、ホック、紐等の固定手段で固定することもできる。或いは、シートカバー１の縁部に縫着した伸縮自在なゴムバンドを座席Ａに巻き付けるか、シートカバー１の縁部に取り付けたフックを座席Ａに係止する等して固定してもよい。
【００５９】
以上のように、座部カバー２を構成する第１〜第６カバー部材２ａ〜２ｆの対向縁部と、背凭れ部カバー３を構成する第１〜第８カバー部材３ａ〜３ｈの対向縁部とを、座席Ａを構成する座部Ａａの各盛上り部Ａ１，Ａ１及び背凭れ部Ａｂの各盛上り部Ａ２，Ａ２に沿って長さ方向に折り重ねて皺寄せするとともに、各盛上り部Ａ１，Ａ２と対応する曲線に湾曲したままステッチ縫いＥにより一体的に縫着して立体縫製するので、座部カバー２及び背凭れ部カバー３と、座部Ａａ及び背凭れ部Ａｂとの対向面間に隙間ができたり、座部カバー２及び背凭れ部カバー３の被覆位置が変位したりせず、シートカバー１の座部カバー２及び背凭れ部カバー３を、座席Ａの座部Ａａ及び背凭れ部Ａｂに対してぴったりした状態に装着することができる。且つ、座席Ａ自体のカバーを張り替えたようなフット感と、体に馴染むようなホールド性と、ソファーのような快適な座り心地とが得られるシートカバー１を、様々な車種の座席Ａに対応して容易に製作することができる。
【００６０】
また、座部カバー２を構成する第１〜第６カバー部材２ａ〜２ｆの対向縁部と、背凭れ部カバー３を構成する第１〜第８カバー部材３ａ〜３ｈの対向縁部とを各盛上り部Ａ１，Ａ２と対応する曲線に湾曲したままステッチ縫いＥにより一体的に縫着するので、滑らかな曲線を有するシートラインの美観が損なわれることがなく、座席Ａの角部と対応するシートカバー１の曲線部分の強度が向上し、例えば亀裂やひび割れ等が起きるのを防止することができる。
【００６１】
また、座部カバー２及び背凭れ部カバー３を、座部Ａａの座面及び背凭れ部Ａｂの前面と対応する曲面形状に立体縫製しているので、座席Ａに着座する人の姿勢が安定した状態にホールドされる。
【００６２】
図７は、縦長の皺部９を座部カバー２の座面及び背凭れ部カバー３の前面に形成した第２実施例のシートカバー１を示し、座部カバー２の第１カバー部材２ａ及び第２カバー部材２ｂと、背凭れ部カバー３の第１カバー部材３ａ及び第２カバー部材３ｂとを幅方向に皺寄せして、座部カバー２の座面及び背凭れ部カバー３の前面に沿って皺部９を縦方向に形成するとともに、その皺部９を幅方向に対して所定間隔に隔てて複数本配列（又は多数本配列）している。つまり、座席Ａに着座する人の体型及び姿勢に応じて、座部カバー２の座面及び背凭れ部カバー３の前面に形成した各皺部９…が幅方向に伸縮変形するので、第１実施例と略同等の作用及び効果を奏することができる。
【００６３】
図８は、横長の各皺部８…を座部カバー２の座面中央部及び背凭れ部カバー３の前面中央部に形成した第３実施例のシートカバー１を示し、多数の各皺部８…を、座部カバー２の座面中央部に形成したセンターラインを中心として、第１カバー部材２ａの中央部に対して左右均等に多数本配列するとともに、背凭れ部カバー３の前面中央部に形成したセンターラインを中心として、第１カバー部材３ａの中央部に対して左右均等に多数本配列している。つまり、座席Ａに着座する人の体型及び姿勢に応じて、座部カバー２の座面中央部及び背凭れ部カバー３の前面中央部が縦方向に伸縮変形するので、第１実施例と略同等の作用及び効果を奏することができる。
【００６４】
図９は、座部カバー２の座面及び背凭れ部カバー３の前面をフラットに形成した第４実施例のシートカバー１を示し、多数の各孔部１０…を座部カバー２の第１カバー部材２ａ及び背凭れ部カバー３の第１カバー部材３ａに形成しているので、座部カバー２及び背凭れ部カバー３と接触する身体の部分が蒸れるのを防止することができ、第１実施例と略同等の作用及び効果を奏することができる。また、座面及び前面がフラットであるため、ホコリや汚れ等の除去がスムースに行える。
【００６５】
この考案の構成と、上述の実施例との対応において、  
この考案の固定手段は、実施例の面ファスナーＢ，Ｃと、挿入部材６及び受け部材７とに対応するも、  
この考案は、上述の実施例の構成のみに限定されるものではなく、請求項に示される技術思想に基づいて応用することができ、多くの実施の形態を得ることができる。
【産業上の利用可能性】
【００６６】
本考案のシートカバーの構成は、例えば２列シート、３列シート等の座席に被覆されるようなカバーにも適用することができる。また、自動車の座席以外に、例えば飛行機、列車、船舶等の乗り物に設置された座席、映画館、劇場、会館、公共施設等の建物に設置された客席のカバーにも用いることができる。
【図面の簡単な説明】
【００６７】
【図１】第１実施例のシートカバーを座席に被覆した状態を示す斜視図。
【図２】背凭れ部カバー及び肘掛け部カバーの被覆方法を示す斜視図。
【図３】座部カバー及びヘッドレストカバーの被覆方法を示す斜視図。
【図４】スライドファスナーを背凭れ部カバーに取り付けた例を示す斜視図。
【図５】座部カバー及び背凭れ部カバーのステッチ縫い部分を示す拡大図。
【図６】座部カバー及び背凭れ部カバーの積層構造を示す拡大斜視図。
【図７】縦長の皺部を配列した第２実施例のシートカバーを示す斜視図。
【図８】皺部を中央部に配列した第３実施例のシートカバーを示す斜視図。
【図９】座面及び前面がフラットな第４実施例のシートカバーを示す斜視図。
【符号の説明】
【００６８】
Ａ…座席
Ａａ…座部
Ａｂ…背凭れ部
Ａｃ…肘掛け部
Ａｄ…ヘッドレスト
Ａ１，Ａ２，Ａ３…盛上り部
Ｂ，Ｃ…面ファスナー
Ｄ…スライドファスナー
Ｅ…ステッチ縫い
１…シートカバー
２…座部カバー
３…背凭れ部カバー
４…肘掛け部カバー
５…ヘッドレストカバー
６…挿入部材
７…受け部材
８,９…皺部
１０…孔部
１１…皮革層
１２…綿層
１３…低反発スポンジ層
１４…トリコット層
１５…裏地層  
【図１】
0003119792.tif 000003
【図２】
0003119792.tif 000004
【図３】
0003119792.tif 000005
【図４】
0003119792.tif 000006
【図５】
0003119792.tif 000007
【図６】
0003119792.tif 000008
【図７】
0003119792.tif 000009
【図８】
0003119792.tif 000010
【図９】
0003119792.tif 000011
【手続補正書】
【提出日】平成18年1月16日(2006.1.16)
【手続補正１】
【補正対象書類名】実用新案登録請求の範囲
【補正対象項目名】全文
【補正方法】変更
【補正の内容】
【実用新案登録請求の範囲】
【請求項１】
座席の座部に被覆される座部カバーを有するシートカバーであって、
上記座部の中央座面に被覆される第１カバー部材と、該座部の前部座面に被覆される第２カバー部材と、該座部の左右座面に被覆される各第３カバー部材との対向縁部を縫着し、
上記座部の左右側面に被覆される各第４カバー部材と、該座部の中央前面に被覆される第５カバー部材と、該座部の中央後面に被覆される第６カバー部材との対向縁部を縫着して座部カバーを構成するとともに、
上記第２カバー部材及び各第３カバー部材と、上記第４カバー部材及び第５カバー部材との対向縁部を、上記座部座面に形成した盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該座部座面と対応する曲面形状に立体縫製した
シートカバー。
【請求項２】
座席の背凭れ部に被覆される背凭れ部カバーを有するシートカバーであって、
上記背凭れ部の中央前面に被覆される第１カバー部材と、該背凭れ部の上部前面に被覆される第２カバー部材と、背凭れ部の左右前面に被覆される各第３カバー部材との対向縁部を縫着し、
上記背凭れ部の左右側面に被覆される各第４カバー部材と、背凭れ部の上面に被覆される第５カバー部材と、背凭れ部の上部後面に被覆される第６カバー部材と、背凭れ部の下部後面に被覆される第７カバー部材との対向縁部を縫着して背凭れ部カバーを構成するとともに、
上記第２カバー部材及び各第３カバー部材と、上記各第４カバー部材及び第５カバー部材との対向縁部を、上記背凭れ部前面の盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該背凭れ部前面と対応する曲面形状に立体縫製した
シートカバー。
【請求項３】
上記座部カバーの座面又は背凭れ部カバーの前面に沿って皺部を横方向に形成するとともに、該皺部を縦方向に対して所定間隔に隔てて複数本形成した
請求項１又は２に記載のシートカバー。
【請求項４】
上記座部カバーの座面又は背凭れ部カバーの前面に沿って皺部を縦方向に形成するとともに、該皺部を幅方向に対して所定間隔に隔てて複数本形成した
請求項１又は２に記載のシートカバー。
【請求項５】
上記座部カバーの座面又は背凭れ部カバーの前面と対応するカバー部材に、通気性を有する多数の各孔部を所定間隔に隔てて形成した
請求項１又は２に記載のシートカバー。
【請求項６】
上記座部カバーの座面又は背凭れ部カバーの前面と対応するカバー部材を、着座側から順に皮革層と、高密度の綿層と、低反発スポンジ層と、トリコット層と、通気性を有する裏地層とを積層して構成した
請求項１又は２に記載のシートカバー。
【請求項７】
上記シートカバーに、上記座席とシートカバーとを着脱自在に固定する固定手段を設けた
請求項１に記載のシートカバー。
【手続補正２】
【補正対象書類名】明細書
【補正対象項目名】全文
【補正方法】変更
【補正の内容】
【考案の詳細な説明】
【技術分野】
【０００１】
この考案は、例えば自動車、飛行機、列車、船舶等の乗り物、或いは、映画館、劇場、会館、公共施設等の建物に設置された座席用のカバーに関し、さらに詳しくは、座席自体を覆っているカバーの上に被覆されるシートカバーに関する。
【背景技術】
【０００２】
従来、上述のカバーとしては、例えば丸い角を形成する第一カバー部材の端縁に沿って糸によるひだよせ縫い目を有し、丸い角に沿ってひだを取る座席カバーと、フレーム部材に固定され、且つ第一カバー部材と第二カバー部材との間に収容される形成された発泡パッドと、隣接する縫い目がかみあう第一カバー部材と第二カバー部材の両方を貫通して、第一カバー部材と第二カバー部材の端縁に沿って平行な糸の縫い目とを有する特許文献１の車両座席組立体がある。
【０００３】
しかし、上述の座部カバーは、カバー部材の端縁を糸により引き締めて、丸い角部に沿って均一なギャザーを作るものであるが、端縁が均一に皺寄せされるため、ギャザー数を部分的に変更することができない。また、座部の座面が、着座する人が安定した姿勢にホールドされるような曲面形状を有する場合、その座面と対応する曲面形状に立体縫製することが難しく、座部外面に対してフィットするようなカバーを縫製することができない。
【０００４】
【特許文献１】特公平６−９５９６８号公報
【考案の開示】
【考案が解決しようとする課題】
【０００５】
この考案は上記問題に鑑み、座席外面に対してぴったりした状態に装着することができ、座席自体のカバーを張り替えたようなフィット感と、体に馴染むようなホールド性と、ソファーのような快適な座り心地とが得られるシートカバーの提供を目的とする。
【課題を解決するための手段】
【０００６】
請求項１に記載した考案のシートカバーは、座席の座部に被覆される座部カバーを有するシートカバーであって、上記座部の中央座面に被覆される第１カバー部材と、該座部の前部座面に被覆される第２カバー部材と、該座部の左右座面に被覆される各第３カバー部材との対向縁部を縫着し、上記座部の左右側面に被覆される各第４カバー部材と、該座部の中央前面に被覆される第５カバー部材と、該座部の中央後面に被覆される第６カバー部材との対向縁部を縫着して座部カバーを構成するとともに、上記第２カバー部材及び各第３カバー部材と、上記第４カバー部材及び第５カバー部材との対向縁部を、上記座部座面に形成した盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該座部座面と対応する曲面形状に立体縫製したことを特徴とする。
【０００７】
この考案によると、座部カバーを構成する各カバー部材の対向縁部を、座部の盛上り部に沿って長さ方向に折り重ねて、曲率半径の大きい方の縁部よりも曲率半径の小さい方の縁部に形成される皺数が多くなるように皺寄せするとともに、盛上り部と対応する曲線に湾曲したまま一体的に縫着して、座部座面の盛上り部と対応する曲面形状に立体縫製する。
【０００８】
請求項２に記載した考案のシートカバーは、座席の背凭れ部に被覆される背凭れ部カバーを有するシートカバーであって、上記背凭れ部の中央前面に被覆される第１カバー部材と、該背凭れ部の上部前面に被覆される第２カバー部材と、背凭れ部の左右前面に被覆される各第３カバー部材との対向縁部を縫着し、上記背凭れ部の左右側面に被覆される各第４カバー部材と、背凭れ部の上面に被覆される第５カバー部材と、背凭れ部の上部後面に被覆される第６カバー部材と、背凭れ部の下部後面に被覆される第７カバー部材との対向縁部を縫着して背凭れ部カバーを構成するとともに、上記第２カバー部材及び各第３カバー部材と、上記各第４カバー部材及び第５カバー部材との対向縁部を、上記背凭れ部前面の盛上り部に沿って長さ方向に折り重ねて、曲率半径の大きい方の縁部よりも曲率半径の小さい方の縁部に形成される皺数が多くなるように皺寄せするとともに、該盛上り部と対応する曲線に湾曲したままステッチ縫いにより一体的に縫着して、該背凭れ部前面と対応する曲面形状に立体縫製したことを特徴とする。
【０００９】
この考案によると、背凭れ部カバーを構成する各カバー部材の対向縁部を、背凭れ部の盛上り部に沿って長さ方向に折り重ねて、曲率半径の大きい方の縁部よりも曲率半径の小さい方の縁部に形成される皺数が多くなるように皺寄せするとともに、盛上り部と対応する曲線に湾曲したまま一体的に縫着して、背凭れ部前面の盛上り部と対応する曲面形状に立体縫製する。
【００１０】
請求項３に記載した考案のシートカバーは、上記請求項１又は２に記載の構成と併せて、上記座部カバーの座面又は背凭れ部カバーの前面に沿って皺部を横方向に形成するとともに、該皺部を縦方向に対して所定間隔に隔てて複数本形成したことを特徴とする。
【００１１】
この考案によると、座席に着座する人の体型及び姿勢に応じて、座部カバー及び背凭れ部カバーに形成した各皺部が縦方向に伸縮するので、着座位置及び着座姿勢の変更が容易に行え、座り心地が良好で、高いホールドが得られる。
【００１２】
請求項４に記載した考案のシートカバーは、上記請求項１又は２に記載の構成と併せて、上記座部カバーの座面又は背凭れ部カバーの前面に沿って皺部を縦方向に形成するとともに、該皺部を幅方向に対して所定間隔に隔てて複数本形成したことを特徴とする。
【００１３】
この考案によると、座席に着座する人の体型及び姿勢に応じて、座部カバー及び背凭れ部カバーに形成した各皺部が幅方向に伸縮するので、着座位置及び着座姿勢の変更が容易に行え、座り心地が良好で、高いホールド性が得られる。
【００１４】
請求項５に記載した考案のシートカバーは、上記請求項１又は２に記載の構成と併せて、上記座部カバーの座面又は背凭れ部カバーの前面と対応するカバー部材に、通気性を有する多数の各孔部を所定間隔に隔てて形成したことを特徴とする。
【００１５】
この考案によると、座部カバーの座面部分及び背凭れ部カバーの前面部分の通気性がよく、座部カバー及び背凭れ部カバーと接触する身体の部分が蒸れるのを防止することができる。
【００１６】
請求項６に記載した考案のシートカバーは、上記請求項１又は２に記載の構成と併せて、上記座部カバーの座面又は背凭れ部カバーの前面と対応するカバー部材を、着座側から順に皮革層と、高密度の綿層と、低反発スポンジ層と、トリコット層と、通気性を有する裏地層とを積層して構成したことを特徴とする。
【００１７】
この考案によると、座席に着座する人の体型、姿勢、体重等に応じて低反発スポンジ層が任意形状に変形するとともに、人の体型と対応する曲面形状に、座部カバーの座面及び背凭れ部カバーの前面が変形するため、体を包み込むようなホールド感が得られ、安定した姿勢に保持される。
【００１８】
上記皮革層は、例えば天然皮革、人工皮革等で構成することができる。実施例では人工皮革の一例として本革に近い風合いのＰＶＣレザーを使用しているが、様々な種類の人工皮革の中から用途及び目的に応じた人工皮革を選択使用してもよい。また、座部カバーの座面及び背凭れ部カバーの前面と対応するカバー部材の裏面側に形成される低反発スポンジ層の厚みを１０ｍｍ又は１５ｍｍに設定しているが、例えば１０ｍｍ〜１５ｍｍの範囲に含まれる厚みに設定するか、１０ｍｍ以下又は１５ｍｍ以上の厚みに変更してもよい。なお、皮革の代わりに、繊維製や樹脂製の表皮を用いてもよい。
【００１９】
請求項７に記載した考案のシートカバーは、上記請求項１に記載の構成と併せて、上記シートカバーに、上記座席とシートカバーとを着脱自在に固定する固定手段を設けたことを特徴とする。
【００２０】
この考案によると、例えば座部、背凭れ部、肘掛け部、ヘッドレスト等で構成される座席と、座席外面に被覆された例えば座部カバー、背凭れ部カバー、肘掛け部カバー、ヘッドレストカバー等のシートカバーとを下記固定手段で着脱自在に固定するので、シートカバーの被覆作業及び交換作業が容易に行える。
【００２１】
上記固定手段は、例えば面ファスナー、スライドファスナー、マグネット、ホック、紐等で構成することができる。また、シートカバーの縁部に縫着した伸縮自在なゴムバンドを座席に巻き付けるか、シートカバーの縁部に取り付けたフックを座席に係止する等して固定してもよい。
【考案の効果】
【００２２】
この考案によれば、座部カバー及び背凭れ部カバーを構成する各カバー部材の対向縁部を、座部及び背凭れ部の盛上り部に沿って長さ方向に折り重ねて皺寄せするとともに、盛上り部と対応する曲線に湾曲したままステッチ縫いにより一体的に縫着して立体縫製するので、シートカバーと座席との対向面間に隙間ができたり、被覆位置が変位したりせず、座席外面に対してぴったりした状態に装着することができる。且つ、座席自体のカバーを張り替えたようなフット感と、体に馴染むようなホールド性と、ソファーのような快適な座り心地とが得られるシートカバーを、様々な座席に対応して容易に製作することができる。
【００２３】
また、各カバー部材の対向縁部を皺寄せしたままステッチ縫いするので、滑らかな曲線を有するシートラインの美観が損なわれることがなく、座席の盛上り部と対応するシートカバーの曲線部分の強度が向上し、例えば亀裂やひび割れ等が起きるのを防止することができる。
【考案を実施するための最良の形態】
【００２４】
この考案は、座席外面に対してぴったりした状態に装着することができ、座席自体のカバーを張り替えたようなフット感と、体に馴染むようなホールド性と、ソファーのような快適な座り心地とが得られるという目的を、シートカバーを構成する座部カバー及び背凭れ部カバーを、座席を構成する座部及び背凭れ部と対応する曲面形状に立体縫製することで達成した。
【実施例】
【００２５】
この考案の一実施例を以下図面に基づいて詳述する。  
図面は、乗り物の一例である自動車の座席に被覆される第１実施例のシートカバーを示し、図１に於いて、このシートカバー１は、座席Ａの座部Ａａに被覆される座部カバー２と、座部Ａａ後端に連結した背凭れ部Ａｂに被覆される袋状の背凭れ部カバー３と、背凭れ部Ａｂ側部に連結した肘掛け部Ａｃに被覆される肘掛け部カバー４と、背凭れ部Ａｂ上端に取り付けたヘッドレストＡｄに被覆されるヘッドレストカバー５とで構成される。
【００２６】
上記座部カバー２は、図３にも示すように、座部Ａａの中央座面に被覆される第１カバー部材２ａと、座部Ａａの前部座面に被覆される第２カバー部材２ｂと、座部Ａａの左右座面に被覆される各第３カバー部材２ｃ，２ｃとの対向縁部を一体的に縫着し、座部Ａａの左右側面に被覆される各第４カバー部材２ｄ，２ｄと、座部Ａａの中央前面に被覆される第５カバー部材２ｅと、座部Ａａの中央後面に被覆される第６カバー部材２ｆとの対向縁部を一体的に縫着している。なお、第１〜第６カバー部材２ａ〜２ｆは、座部Ａａの各面と対応する大きさ及び形状に裁断している。
【００２７】
また、図５にも示すように、第２カバー部材２ｂ及び各第３カバー部材２ｃ，２ｃと、第４カバー部材２ｄ及び第５カバー部材２ｅとの対向縁部を、座部Ａａの左右座面に形成した各盛上り部Ａ１，Ａ１に沿って長さ方向に折り重ねるとともに、曲率半径の大きい方の縁部よりも曲率半径の小さい方の縁部に形成される皺数が多くなるように皺寄せするか、皺の折り重ね量が大きくなるように皺寄せして、各盛上り部Ａ１，Ａ１と対応する滑らかな曲線に湾曲する。且つ、上記皺寄せした対向縁部を、各盛上り部Ａ１，Ａ１と対応する曲線に湾曲したままステッチ縫いＥにより一体的に縫着して、２本のステッチラインを対向縁部に沿って平行に形成することにより、座部Ａａの座面と対応する曲面形状に立体縫製している。また、皺寄せ部分以外の対向縁部をステッチ縫いＥすることもできる。
【００２８】
また、第５カバー部材２ｅ及び第６カバー部材２ｆの下縁部裏面には、座部Ａａに被覆した布製カバーの起毛面に対して貼着される面ファスナーＢの鉤状側貼着体を装着している。或いは、上記面ファスナーＢの鉤状側貼着体と対向する部分に、面ファスナーＢのループ状側貼着体を装着してもよい。
【００２９】
また、各第４カバー部材２ｄ，２ｄの下縁部は、座部Ａａの両側下縁部と座枠部Ａｇの両側上縁部との隙間に対して押込み許容される状態に変形可能で、その隙間に対して抜止めされる状態に復元可能に形成している。
【００３０】
前記背凭れ部カバー３は、図２にも示すように、背凭れ部Ａｂの中央前面に被覆される第１カバー部材３ａと、背凭れ部Ａｂの上部前面に被覆される第２カバー部材３ｂと、背凭れ部Ａｂの左右前面に被覆される各第３カバー部材３ｃ，３ｃとの対向縁部を一体的に縫着し、背凭れ部Ａｂの左右側面に被覆される各第４カバー部材３ｄ，３ｄと、背凭れ部Ａｂの上面に被覆される第５カバー部材３ｅと、背凭れ部Ａｂの上部後面に被覆される第６カバー部材３ｆと、背凭れ部Ａｂの下部後面に被覆される第７カバー部材３ｇとの対向縁部を一体的に縫着している。なお、第１〜第７カバー部材３ａ〜３ｇ及び後述する第８カバー部材３ｈは、背凭れ部Ａｂの各面と対応する大きさ及び形状に裁断している。
【００３１】
また、上記座部カバー２と同様に、第２カバー部材３ｂ及び各第３カバー部材３ｃ，３ｃと、各第４カバー部材３ｂ，３ｂ及び第５カバー部材３ｅとの対向縁部を、背凭れ部Ａｂの左右前面に形成された各盛上り部Ａ２，Ａ２に沿って長さ方向に折り重ねるとともに、曲率半径の大きい方の縁部よりも曲率半径の小さい方の縁部に形成される皺数が多くなるように皺寄せするか、皺の折り重ね量が大きくなるように皺寄せして、各盛上り部Ａ２，Ａ２と対応する滑らかな曲線に湾曲する。且つ、上記皺寄せした対向縁部を、各盛上り部Ａ２，Ａ２と対応する曲線に湾曲したままステッチ縫いＥにより一体的に縫着して、２本のステッチラインを対向縁部に沿って平行に形成することにより、背凭れ部Ａｂの前面と対応する曲面形状に立体縫製している。また、皺寄せ部分以外の対向縁部をステッチ縫いＥすることもできる。
【００３２】
また、第１カバー部材３ａの下縁部に縫着した第８カバー部材３ｈは、座部Ａａの後端側と背凭れ部Ａｂの下端側との隙間に対して挿入許容され、第７カバー部材３ｇと第８カバー部材３ｈとの対向縁部には、その対向縁部を着脱自在に固定するための面ファスナーＣを装着している。
【００３３】
また、第５カバー部材３ｅの中央面には、背凭れ部Ａｂの上端側に設けた各差込み口Ａｆ，Ａｆが突出許容される各孔部３ｉ，３ｉを形成し、第７カバー部材３ｇの後面には、小物の収納が許容されるポケット状の収納部３ｊを形成している。
【００３４】
また、肘掛け部Ａｃと対応する第４カバー部材３ｄの下縁部には、肘掛け部Ａｃの連結部分に対して跨るように被覆される跨り部３ｋを形成している。その連結部分よりも下方で重合される跨り部３ｋの対向縁部には面ファスナーＣを装着している。
【００３５】
前記肘掛け部カバー４は、肘掛け部Ａｃの上下面に被覆される帯状の第１カバー部材４ａと、肘掛け部Ａｃの左右側面に被覆される各第２カバー部材４ｂ，４ｂとの対向縁部を一体的に縫着し、第１カバー部材４ａの後側対向縁部には、その後側対向縁部を着脱自在に固定するための面ファスナーＣを装着している。また、背凭れ部Ａｂ側面と対向する第２カバー部材４ｂの後端側には、背凭れ部Ａｂと肘掛け部Ａｃとの連結部分が突出許容される開口部４ｃを形成している。
【００３６】
なお、第１，第２カバー部材４ａ，４ｂは、肘掛け部Ａｃの各面と対応する大きさ及び形状に裁断している。また、面ファスナーＣは、着脱自在に固定される鉤状側貼着体とループ状側貼着体とで構成される。
【００３７】
前記ヘッドレストカバー５は、ヘッドレストＡｄの中央前後面に被覆される帯状の第１カバー部材５ａと、ヘッドレストＡｄの左右前面に被覆される各第２カバー部材５ｂ，５ｂと、ヘッドレストＡｄの左右後面に被覆される各第３カバー部材５ｃ，５ｃとの対向縁部を一体的に縫着している。なお、第１〜第３カバー部材５ａ〜５ｃは、ヘッドレストＡｄの各面と対応する大きさ及び形状に裁断している。
【００３８】
また、各第２カバー部材５ｂ，５ｂと各第３カバー部材５ｃ，５ｃとの対向縁部を、ヘッドレストＡｄの左右前面に形成した各盛上り部Ａ３，Ａ３に沿って長さ方向に皺寄せして、各盛上り部Ａ３，Ａ３と対応する滑らかな曲線に湾曲するとともに、その皺寄せした対向縁部を、各盛上り部Ａ３，Ａ３と対応する曲線に湾曲したままステッチ縫いＥにより一体的に縫着して、２本のステッチラインを対向縁部に沿って平行に形成することにより、ヘッドレストＡｄの前面と対応する曲面形状に立体縫製している。
【００３９】
また、第１カバー部材５ａの前後下縁部には、着脱自在に係止される板状の挿入部材６と、側面から見てＵ字状の受け部材７とを対向して取り付けている。第１カバー部材５ａの前側下縁部に取り付けた挿入部材６は、後側下縁部に取り付けた受け部材７に対して後方から係止され、第１カバー部材５ａの前後下縁部をヘッドレストＡｄの下端側に突設した２本の各シャフトＡｅ，Ａｅ間で重合した状態に固定する。
【００４０】
また、座部カバー２の座面部分に縫着した第１カバー部材２ａと、背凭れ部カバー３の前面部分に縫着した第１カバー部材３ａとを縦方向に皺寄せして、座部カバー２の座面及び背凭れ部カバー３の前面に沿って皺部８を横方向に形成するとともに、その横長の皺部８を縦方向に対して所定間隔に隔てて複数本配列（又は多数本配列）している。
【００４１】
つまり、座席Ａに着座する人の体型及び姿勢に応じて、座部カバー２及び背凭れ部カバー３に形成した各皺部８…が縦方向に伸縮変形するので、着座位置及び着座姿勢の変更が容易に行え、座り心地が良好で、高いホールドと、ソファーのような快適な座り心地とが得られる。なお、第２カバー部材２ｂ，３ｂには、縦長の各皺部８…を幅方向に対して所定間隔に隔てて複数本配列している。
【００４２】
また、座部カバー２の座面部分に縫着した第１カバー部材２ａ及び第２カバー部材２ｂと、背凭れ部カバー３の前面部分に縫着した第１カバー部材３ａ及び第２カバー部材３ｂには、通気性を有する多数の各孔部１０…を所定間隔に隔てて形成している。
【００４３】
つまり、座部カバー２の座面部分及び背凭れ部カバー３の前面部分の通気性がよく、座部カバー２及び背凭れ部カバー３と接触する身体の部分が蒸れるのを防止することができる。
【００４４】
また、座部カバー２の座面部分に縫着した第１カバー部材２ａ及び第２カバー部材２ｂと、背凭れ部カバー３の前面部分に縫着した第１カバー部材３ａ及び第２カバー部材３ｂは、図６に示すように、着座側から順に皮革層１１と、高密度の綿層１２と、低反発スポンジ層１３と、トリコット層１４と、通気性を有する裏地層１５とを積層して構成している。
【００４５】
つまり、座席Ａに着座する人の体型、姿勢、体重等に応じて、座部カバー２の座面部分及び背凭れ部カバー３の前面部分に積層した低反発スポンジ層１３が任意形状に変形するとともに、人の体型と対応する曲面形状に、座部カバー２の座面及び背凭れ部カバー３の前面が変形するため、体を包み込むようなホールド感が得られ、安定した姿勢に保持される。
【００４６】
また、座部カバー２の座面部分及び背凭れ部カバー３の前面部分を除く、他の部分に縫い付けた座部カバー２の各カバー部材２ｃ〜２ｆと、背凭れ部カバー３の各カバー部材３ｃ〜３ｈは、着座側から順に皮革層１１と、トリコット層１４と、通気性を有する裏地層１５とを積層して構成している。
【００４７】
上記皮革層１１は、例えば人工皮革の一例として本革に近い風合いのＰＶＣレザーを使用している。実施例では、座部カバー２の座面部分に縫着した第１カバー部材２ａ及び第２カバー部材２ｂと、背凭れ部カバー３の前面部分に縫着した第１カバー部材３ａ及び第２カバー部材３ｂとの裏面側に積層される低反発スポンジ層１３の厚みを１０ｍｍ又は１５ｍｍに設定しているが、例えば１０ｍｍ〜１５ｍｍの範囲に含まれる厚みに設定するか、１０ｍｍ以下又は１５ｍｍ以上の厚みに変更してもよい。
【００４８】
上記ＰＶＣレザーの代わりに、様々な種類の人工皮革の中から用途及び目的に応じた人工皮革を選択使用するか、天然皮革を使用する等してもよい。また、低反発スポンジ層１３以外の皮革層１１と、綿層１２と、トリコット層１４と、裏地層１５とを任意の厚みに変更してもよい。また、孔部１０及び低反発スポンジ層１３を、座部カバー２の座面全体及び背凭れ部カバー３の前面全体に設けてもよい。なお、皮革の代わりに、繊維製や樹脂製の表皮を用いてもよい。
【００４９】
図示実施例は上記の如く構成するものにして、以下、シートカバー１により座席Ａを被覆する方法を説明する。
【００５０】
先ず、座部カバー２を座部Ａａに装着するまえに、背凭れ部カバー３を背凭れ部Ａｂに先行して被覆する。つまり、ヘッドレストＡｄを上方に引き上げて、背凭れ部Ａｂの上端側から引き抜いた後、図２に示すように、背凭れ部カバー３の下端側開口部を開口して、背凭れ部Ａｂの外面に対して上方から被覆する。
【００５１】
次に、背凭れ部カバー３の第８カバー部材３ｈを、座部Ａａの後端側と背凭れ部Ａｂの下端側との隙間に対して前側から挿入し、背凭れ部Ａｂの後側に引き出した第８カバー部材３ｈと、第７カバー部材３ｇとを面ファスナーＣで脱着自在に固定する。且つ、背凭れ部カバー３の上端側に形成した各孔部３ｉ，３ｉの内周縁部を、背凭れ部Ａｂの上端側中央部に設けた各差込み口Ａｆ，Ａｆの下側に差し込む。
【００５２】
また、図４に示すように、背凭れ部カバー３の各第４カバー部材３ｄ，３ｄと第７カバー部材３ｇとの対向縁部に沿ってスライドファスナーＤを取り付ければ、背凭れ部カバー３の下端側開口部を大きく開口することができ、背凭れ部Ａｂ外面とフィットする大きさ及び形状であっても、背凭れ部カバー３を被覆する作業及び取り外す作業が容易に行える。
【００５３】
次に、座部カバー２を座部Ａａに装着する場合、図３にも示すように、座部カバー２の下面側周縁部を拡張して、座部Ａａ外面に対して上方から被覆した後、第５カバー部材２ｅと第６カバー部材２ｆとを、座部Ａａの前後外面に被覆した布製カバーの起毛面に対して鉤状側の面ファスナーＢで固定する。且つ、各第４カバー部材２ｄ，２ｄの下縁部を、座部Ａａの両側下縁部と座枠部Ａｇの両側上縁部との隙間に対して側方から押込んで抜止めする。或いは、各第４カバー部材２ｄ，２ｄの下縁部を、座部Ａａの左右側面に対して面ファスナーＢ又はＣで固定してもよい。
【００５４】
次に、ヘッドレストカバー５をヘッドレストＡｄに被覆する場合、ヘッドレストカバー５の下端側開口部を開口して、ヘッドレストＡｄの外面に対して上方から被覆した後、第１カバー部材５ａの後側下縁部を、ヘッドレストＡｄの各シャフトＡｅ，Ａｅ間に対して後方から挿入するとともに、第１カバー部材５ａの前側下縁部に取り付けた挿入部材６を、後側下縁部に取り付けた受け部材７に係止して、第１カバー部材５ａの前後下縁部を各シャフトＡｅ，Ａｅ間で重合した状態に固定する。
【００５５】
この後、ヘッドレストカバー５が被覆されたヘッドレストＡｄの各シャフトＡｅ，Ａｅを、背凭れ部Ａｂの上端側に設けた各差込み口Ａｆ，Ａｆに対して上方から差込み固定する。
【００５６】
次に、肘掛け部カバー４を肘掛け部Ａｃに被覆する場合、肘掛け部カバー４の後端側開口部を開口して、肘掛け部Ａｃの外面に対して前端側から被覆した後、肘掛け部カバー４の後端側開口部を面ファスナーＣで着脱自在に固定すれば、図１に示すように、シートカバー１による座席Ａの被覆作業が完了する。
【００５７】
また、面ファスナーＢ，Ｃ及び挿入部材６、受け部材７による固定を解除すれば、座部カバー２、背凭れ部カバー３、肘掛け部カバー４、ヘッドレストカバー５の着脱及び交換が容易に行える。
【００５８】
上記面ファスナーＢ，Ｃ及び挿入部材６、受け部材７の代わりに、例えばスライドファスナー、マグネット、ホック、紐等の固定手段で固定することもできる。或いは、シートカバー１の縁部に縫着した伸縮自在なゴムバンドを座席Ａに巻き付けるか、シートカバー１の縁部に取り付けたフックを座席Ａに係止する等して固定してもよい。
【００５９】
以上のように、座部カバー２を構成する第１〜第６カバー部材２ａ〜２ｆの対向縁部と、背凭れ部カバー３を構成する第１〜第８カバー部材３ａ〜３ｈの対向縁部とを、座席Ａを構成する座部Ａａの各盛上り部Ａ１，Ａ１及び背凭れ部Ａｂの各盛上り部Ａ２，Ａ２に沿って長さ方向に折り重ねて皺寄せするとともに、各盛上り部Ａ１，Ａ２と対応する曲線に湾曲したままステッチ縫いＥにより一体的に縫着して立体縫製するので、座部カバー２及び背凭れ部カバー３と、座部Ａａ及び背凭れ部Ａｂとの対向面間に隙間ができたり、座部カバー２及び背凭れ部カバー３の被覆位置が変位したりせず、シートカバー１の座部カバー２及び背凭れ部カバー３を、座席Ａの座部Ａａ及び背凭れ部Ａｂに対してぴったりした状態に装着することができる。且つ、座席Ａ自体のカバーを張り替えたようなフット感と、体に馴染むようなホールド性と、ソファーのような快適な座り心地とが得られるシートカバー１を、様々な車種の座席Ａに対応して容易に製作することができる。
【００６０】
また、座部カバー２を構成する第１〜第６カバー部材２ａ〜２ｆの対向縁部と、背凭れ部カバー３を構成する第１〜第８カバー部材３ａ〜３ｈの対向縁部とを各盛上り部Ａ１，Ａ２と対応する曲線に湾曲したままステッチ縫いＥにより一体的に縫着するので、滑らかな曲線を有するシートラインの美観が損なわれることがなく、座席Ａの角部と対応するシートカバー１の曲線部分の強度が向上し、例えば亀裂やひび割れ等が起きるのを防止することができる。
【００６１】
また、座部カバー２及び背凭れ部カバー３を、座部Ａａの座面及び背凭れ部Ａｂの前面と対応する曲面形状に立体縫製しているので、座席Ａに着座する人の姿勢が安定した状態にホールドされる。
【００６２】
図７は、縦長の皺部９を座部カバー２の座面及び背凭れ部カバー３の前面に形成した第２実施例のシートカバー１を示し、座部カバー２の第１カバー部材２ａと、背凭れ部カバー３の第１カバー部材３ａとを幅方向に皺寄せして、座部カバー２の座面及び背凭れ部カバー３の前面に沿って皺部９を縦方向に形成するとともに、その皺部９を幅方向に対して所定間隔に隔てて複数本配列（又は多数本配列）している。つまり、座席Ａに着座する人の体型及び姿勢に応じて、座部カバー２の座面及び背凭れ部カバー３の前面に形成した各皺部９…が幅方向に伸縮変形するので、第１実施例と略同等の作用及び効果を奏することができる。
【００６３】
図８は、横長の各皺部８…を座部カバー２の座面中央部及び背凭れ部カバー３の前面中央部に形成した第３実施例のシートカバー１を示し、多数の各皺部８…を、座部カバー２の座面中央部に形成したセンターラインを中心として、第１カバー部材２ａの中央部に対して左右均等に多数本配列するとともに、背凭れ部カバー３の前面中央部に形成したセンターラインを中心として、第１カバー部材３ａの中央部に対して左右均等に多数本配列している。つまり、座席Ａに着座する人の体型及び姿勢に応じて、座部カバー２の座面中央部及び背凭れ部カバー３の前面中央部が縦方向に伸縮変形するので、第１実施例と略同等の作用及び効果を奏することができる。
【００６４】
図９は、座部カバー２の座面及び背凭れ部カバー３の前面をフラットに形成した第４実施例のシートカバー１を示し、多数の各孔部１０…を座部カバー２の第１カバー部材２ａ及び背凭れ部カバー３の第１カバー部材３ａに形成しているので、座部カバー２及び背凭れ部カバー３と接触する身体の部分が蒸れるのを防止することができ、第１実施例と略同等の作用及び効果を奏することができる。また、座面及び前面がフラットであるため、ホコリや汚れ等の除去がスムースに行える。
【００６５】
この考案の構成と、上述の実施例との対応において、  
この考案の固定手段は、実施例の面ファスナーＢ，Ｃと、挿入部材６及び受け部材７とに対応するも、  
この考案は、上述の実施例の構成のみに限定されるものではなく、請求項に示される技術思想に基づいて応用することができ、多くの実施の形態を得ることができる。
【産業上の利用可能性】
【００６６】
本考案のシートカバーの構成は、例えば２列シート、３列シート等の座席に被覆されるようなカバーにも適用することができる。また、自動車の座席以外に、例えば飛行機、列車、船舶等の乗り物に設置された座席、映画館、劇場、会館、公共施設等の建物に設置された客席のカバーにも用いることができる。
【図面の簡単な説明】
【００６７】
【図１】第１実施例のシートカバーを座席に被覆した状態を示す斜視図。
【図２】背凭れ部カバー及び肘掛け部カバーの被覆方法を示す斜視図。
【図３】座部カバー及びヘッドレストカバーの被覆方法を示す斜視図。
【図４】スライドファスナーを背凭れ部カバーに取り付けた例を示す斜視図。
【図５】座部カバーのステッチ縫い部分を示す拡大図。
【図６】座部カバー及び背凭れ部カバーの積層構造を示す拡大斜視図。
【図７】縦長の皺部を配列した第２実施例のシートカバーを示す斜視図。
【図８】皺部を中央部に配列した第３実施例のシートカバーを示す斜視図。
【図９】座面及び前面がフラットな第４実施例のシートカバーを示す斜視図。
【符号の説明】
【００６８】
Ａ…座席
Ａａ…座部
Ａｂ…背凭れ部
Ａｃ…肘掛け部
Ａｄ…ヘッドレスト
Ａ１，Ａ２，Ａ３…盛上り部
Ｂ，Ｃ…面ファスナー
Ｄ…スライドファスナー
Ｅ…ステッチ縫い
１…シートカバー
２…座部カバー
３…背凭れ部カバー
４…肘掛け部カバー
５…ヘッドレストカバー
６…挿入部材
７…受け部材
８,９…皺部
１０…孔部
１１…皮革層
１２…綿層
１３…低反発スポンジ層
１４…トリコット層
１５…裏地層